【事件の表示】
　特許第３２４６３２１号「柱と杭の接合構造」の請求項１ないし３に係る特許に対する特許異議の申立てについて、次のとおり決定する。
【結　論】
　訂正を認める。
　特許第３２４６３２１号の請求項１ないし３に係る特許を維持する。
【理　由】
第１　手続の経緯
　特許第３２４６３２１号の請求項１〜３に係る発明についての出願は、平成８年３月２８日に特許出願され、平成１３年１１月２日にその発明について特許権の設定登録がなされ、その後、その特許について、異議申立人新日本製鐵株式會社により特許異議の申立てがなされ、平成１４年９月１２日付けで取消しの理由が通知され、その指定期間内である平成１４年１１月２５日に意見書とともに訂正請求書が提出されたものである。
　
第２　訂正の適否についての判断
１．訂正の内容
　特許権者が求めている訂正の内容は以下の（１）〜（５）のとおりである。
（１）訂正事項ａ
　特許請求の範囲を次のとおりに訂正する。
　「【請求項１】　上部構造物の柱と、
　地中に立設されて内部にコンクリートが充填される杭と、
　前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材とを備え、
　前記梁の前記支柱の中心からの長さを前記杭の半径よりも長く設定すると共に、前記杭の上部と前記仕口部材との間に前記仕口部材の位置を調整する位置決め手段を設けたことを特徴とする柱と杭の接合構造。
【請求項２】　上部構造物の柱と、
　地中に立設されて内部にコンクリートが充填される杭と、
　前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と、
　前記杭の上部と前記仕口部材との間に設置され、前記仕口部材の上下方向の位置を規制し、かつ上下方向及び水平方向の位置を調整する位置決め手段を備えたことを特徴とする柱と杭の接合構造。
【請求項３】　 隣接する仕口部材の梁の間に接合される基礎梁を備えたことを特徴とする請求項１記載の柱と杭の接合構造。」
（２）訂正事項ｂ
　明細書の段落【０００７】を次のとおりに訂正する。
「【０００７】
　【課題を解決するための手段】
（１） 本発明に係る柱と梁の接合構造は、上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された構内に設置される少なくとも２本の梁を有する仕口部材とを備え、前記梁の前記支柱の中心からの長さを前記杭の半径よりも長く設定すると共に、 前記杭の上部と前記仕口部材との間に前記仕口部材の位置を調整する位置決め手段を設けたものである。」
（３）訂正事項ｃ
　明細書の段落【０００８】を次のとおりに訂正する。
「【０００８】
（２）　また、上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と、前記杭の上部と前記仕口部材との間に設置され、前記仕口部材の上下方向の位置を規制し、かつ上下方向及び水平方向の位置を調整する位置決め手段を備えたものである。」
（４）訂正事項ｄ
　明細書の段落【００４０】を次のとおりに訂正する。
「【００４０】
　【発明の効果】
　本発明に係る柱と杭の接合構造によれば、次のような効果を得ることができる。
（１）上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材とを備え、前記梁の前記支柱の中心からの長さを前記杭の半径よりも長く設定すると共に、前記杭の上部と前記仕口部材との間に前記仕口部材の位置を調整する位置決め手段を設けたので、大きな穴の掘削、土砂の搬出廃棄、木枠、鉄筋等の配設、基礎梁コンクリートの打設等の作業、あるいは硬化したコンクリート等の除去作業を必要としない。このため、建設工数及び建設費を大幅に節減することができ、これによって工期を短縮することができる。」
（５）訂正事項ｅ
　明細書の段落【００４１】を次のとおりに訂正する。
「【００４１】
（２） また、上部構造物の柱と、地中に立設されて内部にコンクリートが充填される杭と、 前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と、前記杭の上部と前記仕口部材との間に設置され、前記仕口部材の上下方向の位置を規制し、かつ上下方向及び水平方向の位置を調整する位置決め手段を備えたので、仕口部材の設置にあたってその位置決めがきわめて容易で、接合部の位置を高精度に調整することができる。」
　
２．訂正の目的の適否、新規事項の有無及び拡張・変更の存否
　上記訂正請求に係る訂正事項ａは、特許請求の範囲の減縮を目的とした明細書の訂正に該当し、訂正事項ｂ〜ｅは、特許請求の範囲の訂正事項ａに対応させたもので、明りょうでない記載の釈明を目的とした明細書の訂正に該当する。
　そして、この訂正は、願書に添付した明細書又は図面に記載されている事項の範囲内の訂正であり、実質上特許請求の範囲を拡張し、又は変更するものではない。
　
３．むすび
　以上のとおりであるから、上記訂正は、特許法第１２０条の４第２項及び同条第３項において準用する特許法第１２６条第２項から第４項までの規定に適合するので、当該訂正を認める。
　
第３．特許異議申立について
１．申立の理由の概要
　特許異議申立人新日本製鐵株式會社は、特許第３２４６３２１号の請求項１〜請求項３（全請求項）に係る発明は、甲第１号証〜甲第３号証に記載された発明に基いて当業者が容易に発明できたものであるから、特許法第２９条第２項に規定する発明に該当し、その特許は特許法第１１３条第１項第２号に該当するので取り消されるべきものである旨主張している。
　
２．本件発明
　上記「第２」に記載したように、平成１４年１１月２５日付けの訂正が認められるから、本件特許第３２４６３２１号の請求項１〜請求項３（全請求項）に係る発明は、訂正明細書の特許請求の範囲の請求項１〜請求項３に記載されたとおりのものである。（訂正事項ａ参照）
（以下、訂正後の請求項１〜請求項３に係る発明を本件発明１〜本件発明３という。）
　
３．刊行物
　刊行物１：特開平７−２６５６８号公報（甲第１号証に係る公開公報）
　刊行物２：特開平５−８６６３０号公報（甲第２号証）
　刊行物３：特開平５−３３１８６２号公報（甲第３号証）
　
４．刊行物に記載された発明
（１）刊行物１には、鉄骨柱、杭および基礎梁の接合構造の発明に関して、以下の記載がある。
「地中に打設された杭と、該杭の杭頭に環装された接合鋼管と、該接合鋼管の内部に充填されたコンクリートと、該接合鋼管に結合された基礎梁と、該接合鋼管に結合された鉄骨柱とを備えたことを特徴とする鉄骨柱、杭および基礎梁の接合構造。」（【請求項１】）
「鉄筋コンクリート杭１が地中に打設され、この鉄筋コンクリート杭１の上端から鉄筋１ａが、コンクリート８との付着を確保するため上方に延びている。この鉄筋コンクリート杭１の杭頭には、接合鋼管２の杭頭部鋼管３が環装され、この接合鋼管２の内部にはコンクリート８が充填されており、このコンクリート８の上面にはモルタル９が充填されている。杭頭部鋼管３の内周には、コンクリート８との付着を確保するためのリブ３ａが溶接されており、その側面の下方には、レベル出しボルト３ｂを有するレベル出し金物３ｃが取り付けられている。このレベル出しボルト３ｂの先端は、掘削された地面上に打設された捨てコンクリート１５に当接している。レベル出しボルト３ｂを回転させることにより接合鋼管２の上下方向の位置が調整される。杭頭部鋼管３の上端には下部ダイヤフラム５が溶接されており、この下部ダイヤフラム５には、コンクリート８が通る上下に貫通した孔５ａが設けられている。その下部ダイヤフラム５の上面には接合部鋼管４が溶接されており、この接合部鋼管４の側面には鉄骨梁ブラケット６が溶接されている。この鉄骨梁ブラケット６には、添接板１２を介してボルトが用いられて鉄骨部材の基礎梁１１が接合されている。接合部鋼管４の上端には上部ダイヤフラム７が溶接されており、この上部ダイヤフラム７には、コンクリート８及びモルタル９が通る上下に貫通した孔７ａが設けられている。またこのモルタル９が接合部鋼管４に充填される際に、このモルタル９と上部ダイヤフラム７の間に隙間が生じることを防止するため、この上部ダイヤフラム７には、上下に貫通した空気抜き用の孔（図示せず）が設けられている。その上部ダイヤフラム７の上面には鉄骨柱ブラケット１０が溶接されており、この鉄骨柱ブラケット１０には鉄骨柱１３が接合されている。」（【００１２】）
「図７は、本発明の接合部の施工方法の一例を示す図である。
　先ず図７（ａ）に示すように鉄筋コンクリート杭１が地中に打設される。次に図７（ｂ）に示すように接合鋼管２の杭頭部鋼管３が、この鉄筋コンクリート杭１の杭頭に環装される。コンクリート８が、この環装された接合鋼管２の内部に充填され、これによりこの接合鋼管２と鉄筋コンクリート杭１が一体化される。この充填に際し、コンクリート８は、上述したように、その上面と上部ダイヤフラム７の下面との間にモルタル９が充填される隙間を有するように充填される。尚、レベル出しモルタル１６が、杭頭部鋼管３の環装が行われる前に鉄筋コンクリート杭１の杭頭の周辺に打設される。このレベル出しモルタル１６は、接合鋼管２の、捨てコンクリート１５からの高さを調整するためのものである。そして図７（ｃ）に示すようにモルタル９が、接合鋼管２の内部のコンクリート８の上面に打設される。基礎梁１１が鉄骨梁ブラケット６に接合され、かつ鉄骨柱１３（図１及び図５参照）が鉄骨柱ブラケット１０に接合される。これらの接合により接合部の躯体は完成し、この後にこの接合部は埋め戻される。」（【００２３】）
　そして、【図１】には、接合部鋼管４の中心から鉄骨梁ブラケット６先端までの長さは、鉄筋コンクリート梁１の半径より長いことが示されている。
　上記記載及び【図１】〜【図７】の記載、そして、「接合部は埋め戻される。」という記載から、接合部は掘削された箇所に配置されることは明らかであることから、刊行物１には、次の発明が記載されているものと認められる。
「上部構造物の鉄骨柱１３と、地中に立設される鉄筋コンクリート杭１と、前記鉄骨柱１３が接合される鉄骨柱ブラケット１０と前記コンクリート杭１に環装されコンクリートで固定される杭頭部鋼管３に下部ダイヤフラムを介して溶接された接合部鋼管４、及び該杭頭部鋼管３に下部ダイヤフラムを介して溶接された接合部鋼管４に水平方向に取付けられて前記コンクリート杭１が設置される縦穴の上部に掘削された箇所に設置される少なくとも２本の鉄骨梁ブラケット６を有する接合鋼管２とを備え、前記鉄骨梁ブラケット６の前記接合部鋼管４の中心からの長さを前記コンクリート杭１の半径よりも長く設定する鉄骨柱とコンクリート杭の接合構造。」
　
（２）刊行物２には、コンクリート充填鋼管杭とコンクリート充填鋼管柱の接合構造の発明に関して、以下の記載がある。
「【実施例】図１は本発明の一実施例を示す杭と柱の接合構造図である。図において、１はコンクリート充填鋼管杭（以下、鋼管杭と略す）、２はコンクリート充填鋼管柱（以下、鋼管柱と略す）、３は鋼管杭１の頭部に配置された補強リング（鋼製）であって、その先端は鋼管杭１の先端より上に位置させている。４は鋼管杭１の頭部に埋め込まれたアンカーボルト、５は鋼管柱２の脚部に設けたベースプレートである。１３、１４、１５はそれぞれ鋼管杭１、鋼管柱２、補強リング３の内側（鋼管杭１の内側も含む）に充填又は打設されたコンクリートであり、６はそのコンクリート１３とコンクリート１５の打継面である。また、７は地中梁であって、８、９がその上端主筋、１０、１１が下端主筋、１２は鋼管柱２と地中梁７を固定するスタッドボルトである。」（段落【０００８】）
「次にこの接合構造を施工工程順に従って説明する。まず、鋼管杭１頭部の所定の深さの位置にアンカーボルト４を設置し、コンクリート１３を充填する。なお、アンカーボルト４を設置する深さは、鋼管杭１と鋼管柱２をコンクリート１５で一体化するに十分な深さとし、鋼管柱２の大きさ等により異なる。」（段落【０００９】）
「次に、鋼管柱２の脚部を鋼管杭１の頭部に挿入し、アンカーボルト４及びベースプレート５により、鋼管杭１と鋼管柱２を固定する。」（段落【００１０】）
「次に、鋼管杭１の頭部周囲に補強リング３を配置し、鋼管杭１の内側を含めた補強リング３の内側にコンクリート１５を打設する。この場合、補強リング３は、鋼管杭１と鋼管柱２を一体化するのに寄与するとともに、コンクリート打設型枠としても利用する。（段落【００１１】）
「地中梁７を設ける場合、地中梁７の主筋８〜１１は必要に応じて、鋼管柱２を貫通して配筋する。なお、地中梁には型枠が必要であり、この型枠を鉄板とする場合には、型枠鉄板を鋼管柱２に溶接する。また、鋼管柱２を地中梁７に固定するため、鋼管柱２の表面にはスタッドボルト１２を溶接する。」（段落【００１２】）
　
（３）刊行物３には、鉄骨基礎構造の発明に関して、以下の記載がある。
「本発明の鉄骨基礎構造は、鋼構造物に、形鋼、鋼材等よりなる基礎部を一体に接合してなるものである。また、上記基礎部に、形鋼、鋼材等よりなる地中梁が一体に接合されている。そして、上記基礎部に杭が一体に接合されている。なお、上記基礎部の内部にコンクリート、砂利、砂、土等の重量物が充填されている。さらに、上記基礎部の周囲を型枠材で囲み、その間にコンクリート又はモルタルを充填してなるものである。」（段落【０００４】）
「鉄骨造建築物・工作物等の鋼構造物に、形鋼、鋼材等よりなる鉄骨造の基礎部・地中梁を一体に接合することにより、柱脚の応力を簡単且つ確実に基礎・地中梁に伝達することができる。」（段落【０００５】）
「鉄骨造建築物・工作物等の鋼構造物の柱１１を、形鋼、鋼材等よりなる鉄骨造の基礎部１２・地中梁１３に溶接又は高力ボルト接合等によりを一体に接合する。これにより、柱脚応力を基礎部１２・地中梁１３に直接伝達し、地盤１４又は杭に伝える。
」（段落【０００９】）
「柱１１はこの例ではＨ形鋼柱であり、下部柱１１ｂは、基礎部１２と一体的に構成され、上部柱１１ａと高力ボルト等により接合されている。また、基礎部１２下面には鋼板２１を荷重に応じた範囲で溶接しておき、セット用アンカー２２により固定する。アンカーはホールインアンカー、ケミカルアンカー等を用いる。」（段落【００１２】）
「地盤と荷重条件によっては杭の打設が必要である。その場合には、基礎部１２の据付（レベル出し、位置決め）のためのセット用の部材（鋼材等で製作したもの）２５を、前もって工場で基礎部１２に精度よく、溶接等で接合しておく。」（段落【００１４】）
「このホールインアンカーをガイドとして、セット用部材２５のベースプレートの穴に合せながら、基礎部１２、鋼板２１及びセット用部材２５等が一体化されたものを、建方クレーン等によりセットする。その後、杭３０の頭と鋼板２１を溶接により接合する。基礎部１２等の構成は、図３の場合と同様である。上記は鋼杭３０の場合であるが、ＰＣ杭（ＰＨＣ杭）３１の場合には、図５に示すように、前もって杭頭での溶接が可能なようにしておく必要がある。上端に溶接用の開先加工を施した鉄骨継手材３２としの鋼管に、レベル調整のための鍔３３を、前もって工場で、精度よく溶接等で接合しておく。」（段落【００１７】）
「ＰＣ杭（ＰＨＣ杭）３１の杭頭切断後に、上記鍔付鋼管３２を、レベル調整用ライナープレート３４を用いて正確にレベル出しし、且つコンクリート打設時に動かないようにするため、杭のＰＣ鋼棒とライナープレート、ライナープレート相互及び鍔とライナープレート間の溶接を行う。これで不十分な場合には、丸鋼等を用いて、杭のＰＣ鋼棒と鍔付鋼管３２との間を溶接接合する。この状態で、鉄骨継手材３２としの鋼管をＲＣ（またはモルタル）を打設して固定する。そして、鉄骨継手材３２と鋼板２１とを溶接により接合する。図６は地中梁付直接基礎の場合である。」（段落【００１８】）
　
５．対比・判断
（１）本件発明１について
　本件発明１と刊行物１記載の発明とを対比すると、刊行物１記載の発明の「鉄骨柱１３」、「コンクリート杭１」、「鉄骨柱ブラケット１０」、「杭頭部鋼管３」、「鉄骨梁ブラケット６」、及び「接合鋼管２」は、それぞれ本件発明１の「柱」、「杭」、「接合部」、「脚部」、「梁」、及び「仕口部材」に相当し、刊行物１記載の発明の杭頭部鋼管３と接合部鋼管４は、下部ダイヤフラムを介して溶接一体化されているから、杭頭部鋼管３と接合部鋼管４は、本件発明１の「支柱」に相当するので、両発明は、
「上部構造物の柱と、地中に立設される杭と、前記柱が接合される接合部と前記杭にコンクリートで固定される脚部からなる支柱、及び該支柱に水平方向に取付けられて前記杭が設置される縦穴の上部に掘削された箇所に設置される少なくとも２本の梁を有する仕口部材とを備え、前記梁の前記支柱の中心からの長さを前記杭の半径よりも長く設定する柱と杭の接合構造。」
の点で一致しており、以下の点で相違している。
　
相違点１：本件発明１が、杭内に脚部が挿入され、杭内部にコンクリートが充填され、前記杭の上部と前記仕口部材との間に前記仕口部材の位置を調整する位置決め手段を設けたのに対し、刊行物１記載の発明は、そのようになっていない点。
相違点２：梁が設置される箇所に関して、本件発明１は、掘削された溝内であるのに対し、刊行物１記載の発明は、掘削された箇所ではあるが、その形状が不明である点。
　相違点１に関して検討する。
　刊行物２には、上記相違点１に係る本件発明１の、杭の上部と前記仕口部材との間に前記仕口部材の位置を調整する位置決め手段を設けた点の記載がなく、刊行物３には、ＰＣ杭内に鉄骨継手材が挿入され、ＰＣ杭内部にコンクリートが充填され、前記ＰＣ杭の上部と鉄骨継手材に接合された鍔との間に前記鉄骨継手材の位置を調整するライナープレートを設けた点が記載されているものの、鉄骨継手材に接合された鍔は、位置調整のみを目的として形成されたものであり、本件発明１は、相違点１に係る構成と、梁の支柱の中心からの長さを杭の半径よりも長く設定するという構成とが相まって、杭上部で仕口部材（具体的には梁）が支持され、杭上部と仕口部材との間での位置決めが可能となり、「大きな穴の掘削、土砂の搬出廃棄、木枠、鉄筋等の配設、基礎梁コンクリートの打設等の作業、あるいは硬化したコンクリート等の除去作業を必要としない。このため、建設工数及び建設費を大幅に節減することができ、これによって工期を短縮することができる。」等の明細書記載の作用効果を奏するものであるから、相違点２について検討するまでもなく、本件発明１は、上記刊行物１ないし３に記載された発明から、当業者が容易に発明をすることができたものとはいえない。
　
（２）本件発明２について
　本件発明２と刊行物１記載の発明とを対比すると、刊行物１記載の発明の「鉄骨柱１３」、「コンクリート杭１」、「鉄骨柱ブラケット１０」、「杭頭部鋼管３」、「鉄骨梁ブラケット６」、及び「接合鋼管２」は、それぞれ本件発明１の「柱」、「杭」、「接合部」、「脚部」、「梁」、及び「仕口部材」に相当し、刊行物１記載の発明の杭頭部鋼管３と接合部鋼管４は、下部ダイヤフラムを介して溶接一体化されているから、杭頭部鋼管３と接合部鋼管４は、本件発明２の「支柱」に相当するので、両発明は、
「上部構造物の柱と、地中に立設される杭と、前記柱が接合される接合部と前記杭にコンクリートで固定される脚部からなる支柱、及び該支柱に水平方向に取付けられて前記杭が設置される縦穴の上部に掘削された箇所に設置される少なくとも２本の梁を有する仕口部材とを備えた柱と杭の接合構造。」
の点で一致しており、以下の点で相違している。
相違点１：本件発明２が、杭内に脚部が挿入され、杭内部にコンクリートが充填され、前記杭の上部と仕口部材との間に設置され、前記仕口部材の上下方向の位置を規制し、かつ上下方向及び水平方向の位置を調整する位置決め手段を備えたのに対し、刊行物１記載の発明は、そのようになっていない点。
相違点２：梁が設置される箇所に関して、本件発明２は、掘削された溝内であるのに対し、刊行物１記載の発明は、掘削された箇所ではあるが、その形状が不明である点。
　相違点１に関して検討する。
　刊行物２には、上記相違点１に係る本件発明２の、杭の上部と仕口部材との間に設置され、前記仕口部材の上下方向の位置を規制し、かつ上下方向及び水平方向の位置を調整する位置決め手段を設けた点の記載がなく、刊行物３には、ＰＣ杭内に鉄骨継手材が挿入され、ＰＣ杭内部にコンクリートが充填され、前記ＰＣ杭の上部と鉄骨継手材に接合された鍔との間に前記鉄骨継手材の位置を調整するライナープレートを設けた点が記載されているものの、仕口部材の上下方向の位置を規制し、かつ上下方向及び水平方向の位置を調整する位置決め手段についての構成が記載も示唆もされていない。そして、本件発明２は、上記構成が他の構成と相まって、「仕口部材の設置にあたってその位置決めがきわめて容易で、接合部の位置を高精度に調整することができる。」等の明細書記載の作用効果を奏するものであるから、相違点２について検討するまでもなく、本件発明２は、上記刊行物１ないし３に記載された発明から、当業者が容易に発明をすることができたものとはいえない。
　
（３）本件発明３について
　本件発明３は、本件発明１を更に限定したものであるから、上記本件発明１についての判断と同様の理由により、上記各刊行物に記載された発明から、当業者が容易に発明をすることができたものとはいえない。
　
６．むすび
　以上のとおりであるから、特許異議の申立ての理由によっては、本件発明１〜３についての特許を取り消すことはできない。
　また、他に本件発明１〜３についての特許を取り消すべき理由を発見しない。
　よって、結論のとおり決定する。     
【異議決定日】
平成１４年１２月９日（２００２．１２．９）
【訂正の要旨】
（１）訂正事項ａ
　特許請求の範囲を次のとおりに訂正する。
　「【請求項１】　上部構造物の柱と、
　地中に立設されて内部にコンクリートが充填される杭と、
　前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材とを備え、
　前記梁の前記支柱の中心からの長さを前記杭の半径よりも長く設定すると共に、前記杭の上部と前記仕口部材との間に前記仕口部材の位置を調整する位置決め手段を設けたことを特徴とする柱と杭の接合構造。
　【請求項２】　上部構造物の柱と、
　地中に立設されて内部にコンクリートが充填される杭と、
　前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と、
　前記杭の上部と前記仕口部材との間に設置され、前記仕口部材の上下方向の位置を規制し、かつ上下方向及び水平方向の位置を調整する位置決め手段を備えたことを特徴とする柱と杭の接合構造。
　【請求項３】　隣接する仕口部材の梁の間に接合される基礎梁を備えたことを特徴とする請求項１記載の柱と杭の接合構造。」
（２）訂正事項ｂ
　明細書の段落【０００７】を次のとおりに訂正する。
「【０００７】
　【課題を解決するための手段】
（１）　本発明に係る柱と梁の接合構造は、上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された構内に設置される少なくとも２本の梁を有する仕口部材とを備え、前記梁の前記支柱の中心からの長さを前記杭の半径よりも長く設定すると共に、前記杭の上部と前記仕口部材との間に前記仕口部材の位置を調整する位置決め手段を設けたものである。」
（３）訂正事項ｃ
　明細書の段落【０００８】を次のとおりに訂正する。
「【０００８】
（２）　また、上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と、前記杭の上部と前記仕口部材との問に設置され、前記仕口部材の上下方向の位置を規制し、かつ上下方向及び水平方向の位置を調整する位置決め手段を備えたものである。」
（４）訂正事項ｄ
　明細書の段落【００４０】を次のとおりに訂正する。
「【００４０】
　【発明の効果】
　本発明に係る柱と杭の接合構造によれば、次のような効果を得ることができる。
（１）上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材とを備え、前記梁の前記支柱の中心からの長さを前記杭の半径よりも長く設定すると共に、前記杭の上部と前記仕口部材との間に前記仕口部材の位置を調整する位置決め手段を設けたので、大きな穴の掘削、土砂の搬出廃棄、木枠、鉄筋等の配設、基礎梁コンクリートの打設等の作業、あるいは硬化したコンクリート等の除去作業を必要としない。このため、建設工数及び建設費を大幅に節減することができ、これによって工期を短縮することができる。」
（５）訂正事項ｅ
　明細書の段落【００４１】を次のとおりに訂正する。
「【００４１】
（２）　また、上部構造物の柱と、地中に立設されて内部にコンクリートが充填される杭と、　前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と、前記杭の上部と前記仕口部材との間に設置され、前記仕口部材の上下方向の位置を規制し、かつ上下方向及び水平方向の位置を調整する位置決め手段を備えたので、仕口部材の設置にあたってその位置決めがきわめて容易で、接合部の位置を高精度に調整することができる。」
（５４）【発明の名称】
柱と杭の接合構造
（５７）【特許請求の範囲】
　【請求項１】　上部構造物の柱と、
　地中に立設されて内部にコンクリートが充填される杭と、
　前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と
を備え、
　
前記梁の前記支柱の中心からの長さを前記杭の半径よりも長く設定すると共に、前記杭の上部と前記仕口部材との間に前記仕口部材の位置を調整する位置決め手段を設けた
　【請求項２】　
上部構造物の柱と、
　地中に立設されて内部にコンクリートが充填される杭と、
　前記柱が接合される接合部と前記杭内に挿入されてコンクリートで固定される脚部からなる支柱、及び該支柱に水平方向に取付けられて前記杭が設置される縦穴の上部に掘削された構内に設置される少なくとも２本の梁を有する仕口部材と、
　前記
　【請求項３】　隣接する仕口部材の梁の間に接合される基礎梁を備えたことを特徴とする請求項１記載の柱と杭の接合構造。
【発明の詳細な説明】
　【０００１】
　【発明の属する技術分野】
　本発明は、鉄骨構造物における柱と杭の接合構造に関するものである。
　【０００２】
　【従来の技術】
　従来、鉄骨構造物の基礎梁を構築するにあたっては、一般に、地面に掘削した穴（以下基礎穴という）の中に杭を配設する。そして、隣接する基礎穴の間に両基礎穴に通じる溝（以下基礎梁溝という）を掘削し、この基礎梁溝に木枠及び鉄筋を配設してコンクリートを打設して、基礎梁を設けている（従来技術１）。
　【０００３】
　また、例えば、特公平３−５１４２８号公報には、地中に立設された杭鋼管の天端より所定区間の内面全周に予めスペーサを設け、杭鋼管内に充填コンクリートを打設し、この充填コンクリートの硬化後に前記所定区間のコンクリート及びスペーサを除去し、柱鉄骨を杭鋼管内に挿入したのち杭鋼管と柱鉄骨の接合部間の空隙にコンクリートを充填するようにした柱杭接合部の施工方法に関する発明が開示されている（従来技術２）。
　【０００４】
　【発明が解決しようとする課題】
　従来技術１の工法においては、基礎梁を構築するために、木枠の外形に加えてその外周で作業員が作業しうる大きな基礎梁溝を掘削し、この掘削した膨大な土砂の大部分を外部に搬出して廃棄したのちコンクリートを打設しなければならないので、多くの工数と多額の費用を要し、このため工期も長期化するなどの問題があり、施工性が悪かった。
　また、基礎及び基礎梁がコンクリートであり、これに接合される上部構造物が鋼管柱（鉄骨柱）であるため、設計思想の統一を欠くという問題もある。
　【０００５】
　また、従来技術２の施工方法は、基礎に杭鋼管を使用しているため、上記従来技術１のような基礎穴の掘削、木枠等の設置、設計思想の不統一などの問題は発生しないが、杭鋼管にコンクリートを打設して硬化したのち、柱鉄骨を挿入する部分のコンクリート及びスペーサを除去しなければならず、また、柱鉄骨を直接杭鋼管内に挿入して接合するようにしているので、柱鉄骨の上下方向及び水平方向の位置調整がきわめて面倒であり、このため多くの工数と費用を要し、また、工期の長期化は避けられなかった。
　なお、隣接する杭鋼管の間に基礎梁を設ける場合は、従来技術１の場合と同様の問題が生じる。
　【０００６】
　本発明は、上記の課題が解決するためになされたもので、基礎梁コンクリートの打設が不要で、柱接合の位置精度が高く、このため工数、工費が節減され、工期を短縮できる施工性に優れた柱と梁の接合構造を得ることを目的としたものである。
　【０００７】
　【課題を解決するための手段】
（１）　本発明に係る柱と梁の接合構造は、上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と
を備え、前記梁の前記支柱の中心からの長さを前記杭の半径よりも長く設定すると共に、前記杭の上部と前記仕口部材との間に前記仕口部材の位置を調整する位置決め手段を設けた
　【０００８】
（２）　また、
上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された構内に設置される少なくとも２本の梁を有する仕口部材と、前記
　【０００９】
（３）　上記（１）の隣接する仕口部材の梁の間に接合される基礎梁を備えた。
　【００１０】
　【発明の実施の形態】
　図１は本発明の一実施形態の説明図、図２はそのＡ−Ａ断面図である。図において、１は地中に設けられた下部構造物、２は下部構造物１上に建設された上部構造物である。
　図３は下部構造物１の一例を模式的に示した縦断面図、図４はその平面図である。５はオーガ等でボーリングされた縦穴３内に立設された鋼管杭からなる杭、１０は杭５内に立設固定され、上部構造物２の鋼管柱、角形鋼管柱等（以下柱という）を接合するための仕口部材である。なお、杭５は、角形鋼管杭を用いてもよく、あるいは、上部が円筒状のコンクリート杭を用いてもよい。
　【００１１】
　仕口部材１０は、例えば図５に示すように、鋼管からなり、上部に柱の接合部１２が、また下部に脚部１３が形成された支柱１１と、支柱１１の上部外周（接合部１２の下部若しくは脚部１３の上部又は両者の間）に、支柱に取付けたダイヤフラム１６を介して溶接により水平に取付けられたＨ形鋼からなる４本の梁１４ａ，１４ｂ，１４ｃ，１４ｄとからなっている。１５は梁１４ａ〜１４ｄのウェブにダイヤフラム１６を逃げるために設けた切欠き部である。なお、梁１４ａ〜１４ｄの支柱１１の中心部からの長さは、杭５の半径より長いことが望ましい。
　【００１２】
　図６は仕口部材１０の他の実施形態を示すもので、角形鋼管からなる支柱１１に、Ｈ形鋼からなる梁１４ａ〜１４ｄを、支柱１１に取付けたダイヤフラム１６を介して取付けたものである。なお、１６ａはダイヤフラム１６に対向して支柱１１の内側に取付けられた内ダイヤフラムである。
　【００１３】
　図７は接合部材１０のさらに他の実施形態を示す斜視図及び平面図、図８は図７の分解斜視図である。この接合部材１０は、Ｈ形鋼からなる支柱１１のフランジに梁１４ａ，１４ｃを溶接により取付けると共に、支柱１１のフランジの側面にダイヤフラム１６ｂ，１６ｃを介して梁１４ｂ，１４ｄを溶接によって取付けたものである。この場合、梁１４ｂ，１４ｄを支柱１１に取付けるにあたっては、先ず、支柱１１の高さ方向の所定の位置で、かつ両フランジの間においてウェブにダイヤフラム１６ｂを上下方向に溶接して取付け、ついで、このダイヤフラム１６の上下にダイヤフラム１６ｃを当接し、支柱１１のウェブとフランジの内面及びダイヤフラム１６ｂの上下面に溶接してほぼＨ状に形成する。そして、梁１４ｂ，１４ｄの端面を、ダイヤフラム１６ｂ，１６ｃ及び支柱１１のフランジの側面に溶接する。
　【００１４】
　図９は接合部材１０の別の実施形態を示す斜視図及び平面図である。この接合部材１０は、Ｈ形鋼１１ａと、そのウェブにそれぞれウェブを溶接したＴ形鋼１７ａ，１７ｂとにより、平面ほぼ十字状の支柱１１を構成し、Ｈ形鋼１１ａとＴ形鋼１７ａ，１７ｂのフランジにそれぞれ梁１４ａ〜１４ｄを溶接して取付けると共に、梁１４ａ〜１４ｄのフランジの位置に対応して、Ｈ形鋼１１ａとＴ形鋼１７ａ，１７ｂのウェブの間にそれぞれダイヤフラム１６ｄを溶接して取付けたものである。
　【００１５】
　図１０〜図１４は接合部材１０のさらに別の実施形態を示すもので、図１０に示す接合部材１０は、鋼管からなる支柱１１に溶接により梁１４ａ〜１４ｄを取付けたもの、図１１に示す接合部材１０は、角形鋼管からなる支柱１１に、角形鋼管からなる梁１４ａ〜１４ｄを十字状に取付けたもの、図１２の仕口部材１０は、角形鋼管からなる接合部１２に鋼管からなる脚部１３を接合して支柱１１を構成し、支柱１１の三方にＣ形鋼を取付けて梁１４ａ，１４ｂ，１４ｃをＴ字状に設けたものである。
　【００１６】
　また、図１３に示す仕口部材１０は、鋼管からなる支柱１１の上部にＩ形鋼をＬ字状に取付けて梁１４ａ，１４ｂを構成し、梁１４ａ，１４ｂの上部を接合部１２、下部を脚部１３としたものである。なお、この場合は、支柱１１の梁１４ａ，１４ｂの接着部と対向する位置に、その下面が梁１４ａ，１４ｂの下面と同一平面上にあるように支持部（図示せず）を設けることが必要である。図９の仕口部材１０は、角形鋼管からなる接合部１２にＨ形鋼からなる脚部１３を接合して支柱１１を構成し、この支柱１１にＨ形鋼からなる２本の梁１４ａ，１４ｂを直線状に取付けたものである。
　なお、上記の各仕口部材１０はその一例を示すもので、支柱１１は丸、角、Ｈ形断面などの鋼材を、また、梁１４ａ〜１４ｄはＨ、Ｕ、Ｉ形断面などの鋼材を適宜組合わせ、かつ、梁１４ａ〜１４ｄを２〜４か所に選択して取付けることにより所望の仕口部材１０を構成することができる。
　【００１７】
　また、杭５の内周面には、コンクリートの付着力を高めるため、例えば、図１５に示すように、スパイラル状の突条６又は１個若しくは複数のリング状突条、あるいは多数の突起などを設けてもよく、さらに、仕口部材１０の脚部１３の外周面には、コンクリートの付着力を高めるために、図１６に示すように、スパイラル状の突条１８ａ（ａ図）、１個又は複数のリング状突条１８ｂ（ｂ図）あるいは多数の縞状突起１８ｃ（ｃ図）などの突起を設けてもよい。
　【００１８】
　再び図３、図４において、４は隣接する縦穴３を結ぶ基礎梁溝で、必要に応じて仕口部材１０の梁１４ａ〜１４ｄに接合された鋼材からなる基礎梁７が設置される。
　【００１９】
　２０は仕口部材１０の位置決め手段で、その一例を図１７、図１８に示す。２１は杭５の仕口部材１０の梁１４ａ〜１４ｄに対応した位置に溶接、ねじ止め等によって取付けられた支持部材で、その上端部は杭５の上端部から突出してあらかじめ定めた高さ位置に保持されており、突出部には上下方向の長穴２２が設けられている。
　２３は仕口部材１０の梁１４ａ〜１４ｄの下面に取付けられた固定部材で、長穴２４が設けられている。
　【００２０】
　上記のように構成した位置決め手段２０は、図１７に示すように、杭５上に仕口部材１０を設置するときに、その梁１４ａ〜１４ｄを支持部材２１上に載置し、図１８に示すように、支持部材２１に設けた長穴２２と固定部材２３に設けた長穴２４とにボルト２５を挿通し、ナットを締めて仕口部材１０を杭５上に固定する。これにより、仕口部材１０の接合部１２は所定の位置に保持される。
　【００２１】
　このようにして、仕口部材１０の上下方向の位置が規制されるが、若し、接合部１２の位置があらかじめ定めた位置より低い場合、あるいは水平方向の位置があらかじめ定めた位置に整合しない場合は、長穴２２，２４及びボルト２５を利用して仕口部材１０を上方に移動し、又は水平方向に移動させて位置調整を行う。
　【００２２】
　図１９、図２０は位置決め手段２０の他の例を示すもので、支持部材２１にこれと直交してねじ穴２７を有する調整板２６を水平方向に設けると共に、この調整板２６と干渉しない位置に長穴２２を設け、ねじ穴２７にボルト２８を螺入したものである。
　上記のように構成した支持部材２１は、その上端部があらかじめ定めた高さ位置より低い位置になるように杭５に取付け、ボルト２８をその先端部があらかじめ定めた高さ位置になるように調整し、仕口部材１０の梁１４ａ〜１４ｄをボルト２８上に載置する。
　そして、仕口部材１０の接合部１２の上端部の水平方向又は上下方向の位置が、あらかじめ定めた位置と整合しない場合は、ボルト２５，２８により仕口部材１０を水平方向又は上下方向に移動させて位置調整を行う。
　【００２３】
　ところで、杭５の設置にあたっては、その中心とあらかじめ定めた上部構造物２の柱の中心とが一致しない場合があり、このような場合は、図２１に示すように、仕口部材１０をその接合部１２が柱と整合する位置、したがって、杭５の偏心位置に設置することが必要である。そして、仕口部材１０を杭５の偏心位置に設置しても、なお、仕口部材１０を上下方向、水平方向又は回転方向に調整する必要がある場合が多い。
　【００２４】
　図２２、図２３はこのような場合の位置決め手段２０の一例を示すもので、本例は仕口部材１０の上下方向の位置を規制すると共に、水平方向と回転方向の位置調整に適したものである。
　すなわち、杭５に取付ける支持部材２１の上部にねじ穴３０を設けると共に、支持部材２１の一方の側のねじ穴３０と干渉しない位置に、支持部材２１と直交して上下方向に受板３１を設け、また、仕口部材１０の梁１４ａ〜１４ｂに取付ける固定部材２３の一方の側（受板３１と反対側）の下部に、固定部材２３と直交して上下方向に、１個又は複数のねじ穴３３を有する調整板３２を設けたものである。
　【００２５】
　上記のような支持部材２１は、その上端部があらかじめ定めた位置になるように杭５に取付けられる。そして、仕口部材１０をその接合部１２が上部構造物２の柱の位置と整合するようにして支持部材２１上に載置し、支持部材２１のねじ穴３０と固定部材２３のねじ穴３３にそれぞれボルト２９ａ，２９ｂを螺入し、その先端部を固定部材２３及び受板３１に当接させる。このとき、仕口部材１０の上下方向の位置は、支持部材２１によって規制される。
　【００２６】
　仕口部材１０の水平方向の位置を調整する場合は、一方の位置決め手段２０のボルト２９ａを緩め、これと対向する他方の位置決め手段２０のボルト２９ａをねじ込むことにより、仕口部材１０を水平方向に移動させればよい。
　また、仕口部材１０を矢印ａ方向に回動させる場合は、位置調整手段２０のうち１つを残して他のボルト２９ｂを緩め、残った位置調整手段２０のボルト２９ｂをねじ込めばよく、矢印ｂ方向に移動させる場合はすべての位置調整手段２０のボルト２９ｂを緩めて調整板３１との間に所定の間隙が形成されるように後退させ、仕口部材１０を手動その他の手段により矢印ｂ方向に回動させればよい。なお、この場合、少なくとも１つの位置調整手段２０を他の位置調整手段２０と反対向きに設けておき、他の位置調整手段２０のボルト２９ｂを緩め、当該位置調整手段２０のボルト２９ｂをねじ込めば、仕口部材１０を矢印ｂ方向に回動させることができる。
　【００２７】
　図２４、図２５に仕口部材１０を上下方向、水平方向及び回転方向のすべての方向に調整できるようにした位置調整手段２０を示す。
　本例は、図２２、図２３に示した支持部材２１の受板３１の下部に支持部材２１と直交して水平方向に、ねじ穴３５を有する調整板３４を設けたもので、他の構成は図２２、図２３の場合と同様である。
　【００２８】
　このように構成した支持部材２１は杭５に取付けられ、調整板３４のねじ穴３５にボルト２８を螺入してその先端部をあらかじめ定められた高さ位置に保持し、このボルト２８の上に仕口部材１０の梁１４ａ〜１４ｃを載置する。そして必要に応じてボルト２８により仕口部材１０の高さ位置を調整するようにしたものである。なお、仕口部材１０の水平方向及び回転方向の位置調整は、前述の図２２、図２３の場合と同様である。
　【００２９】
　上記の説明では、支持部材２１を杭５に直接取付けた場合を示したが、例えば、図２６に示すように、支持部材２１の外側面に複数の補助部材３０を溶接等により取付け、支持部材２１を杭５の上端部に載置して、補助部材３０を溶接、ねじ止め等により杭５に取付けてもよい。
　また、位置決め手段２０の固定部材２３を仕口部材１０の梁１４ａ〜１４ｄの下面に取付けた場合を示したが、支柱１１に取付けてもよい。
　なお、上述した各種の位置決め手段２０はその一例を示すもので、各位置決め手段２０を組合わせるなど、適宜変更することができる。
　【００３０】
　次に、上記のような杭５と仕口部材１０からなる本発明の施工方法の一例について説明する。
（１）　工場等において、杭５及び仕口部材１０を製造し、建設現場に運搬する。このとき、杭５の上部外周の所定位置に位置決め手段２０の支持部材２１を取付け、また、仕口部材１０の梁１４ａ〜１４ｄの下面などに固定部材２３を取付ける。なお、支持部材２１及び固定部材２３は、これらを建設現場に運搬してから取付けてもよい。
　【００３１】
（２）　一方、建設現場においては、図２７（ａ）に示すように、オーガ等によりあらかじめ定めた位置に杭５の外径よりやや大きい内径で所定深さの縦穴３をボーリングし、さらに縦穴３の上部に仕口部材１０の梁１４ａ〜１４ｄが設置される横穴を掘削する。この場合、縦穴３の上部を大きく掘削してもよい。なお、基礎梁７を設ける場合は隣接する上記横穴との間に基礎梁溝４を掘削する。
　【００３２】
（３）　次に、図２７（ｂ）に示すように、縦穴３内に杭５を挿入して立設する。この場合、杭５の立設後に杭５の上部に、位置決め手段２０の支持部材２１をその先端部があらかじめ定めた高さ位置になるように溶接等で取付けてもよい。
（４）　ついで、図２７（ｃ）に示すように、杭５内にその上端部近傍に達するまでコンクリート３５を充填する。
　【００３３】
（５）　杭５に充填したコンクリート３５が硬化する前に、仕口部材１０の接合部１２を、あらかじめ定めた上部構造物２の柱の位置に整合させ、図２８（ａ）に示すように、その脚部１３を杭５のコンクリート３５内に打設し、梁１４ａ〜１４ｄを位置決め手段２０の支持部材２１上に載置する。このとき、仕口部材１０の脚部１３内にもコンクリート３５が充填される。なお、あらかじめ脚部１３内にコンクリートを充填しておいてもよく、この場合は、脚部１３に充填するコンクリートに、杭５内に充填されるコンクリート３５と異なる組成のコンクリートを使用してもよい。また、脚部１３内に充填されたコンクリートは、その上面を杭５に設置後、杭５に充填されたコンクリート３５の上面よりほぼ脚部１３の直径分だけ高くすることが望ましい。
　【００３４】
（６）　この状態で、必要に応じて位置決め手段２０により、仕口部材１０の上下方向、水平方向あるいは回転方向の位置を調整する。
（７）　コンクリート３５が硬化したのち、位置決め手段２０を除去する。なお、位置決め手段２０の全部又は一部をそのまま残置してもよい。
　また、必要に応じて、隣接する仕口部材１０の梁１４ａ〜１４ｄの間に溶接等により基礎梁７を接合する。
　【００３５】
（８）　図２８（ｂ）に示すように、杭５及び仕口部材１０が立設された縦穴３とその周囲（基礎梁７を設けた場合は基礎梁溝４を含めて）を埋め戻し、又はコンクリートを打設する。なお、埋め戻し又はコンクリートを打設せず、そのままにしておいてもよい。このとき、仕口部材１０の接合部１２の上部は、地面Ｅ又は打設したコンクリートから露出している。
（９）　図２８（ｃ）に示すように、地面Ｅから露出した仕口部材１０の接合部１２に、上部構造物２の柱４０を接合する。
　【００３６】
　次に、本発明の他の施工方法について説明する。なお、前述の施工方法の（１）〜（３）の工程までは本施工方法も同じなので説明を省略する。
（４）　前述の（３）の工程によって縦穴３内に立設された杭５内に、図２９（ａ）に示すように、仕口部材１０を杭５の支持部材２１上に載置したときの脚部１３の下端部より若干下方の位置まで、コンクリート３５を充填する。なお、コンクリート３５はあらかじめ工場等で充填しておいてもよい。
　【００３７】
（５）　杭５に充填したコンクリート３５が硬化したのち、仕口部材１０の接合部１２をあらかじめ定めた上部構造物２の柱の位置に整合させ、図２９（ｂ）に示すように、その脚部１３を杭５内に挿入し、梁１４ａ〜１４ｄを位置決め手段２０の支持部材２１上に載置する。この場合、脚部１３にプレートを取付けてもよい。
（６）　この状態で、必要に応じて位置決め手段２０により、仕口部材１０の上下方向、垂直方向あるいは回転方向の位置を調整する。
　【００３８】
（７）　図２９（ｃ）に示すように、杭５内にその上端部に達するまでコンクリート３６を充填する。なお、このとき、仕口部材１０の脚部１３内にもコンクリート３６が充填されるが、前述のようにあらかじめ工場等で脚部１３にコンクリートを充填しておいてもよい。
　以後の工程は、前述の施工方法の（７）〜（９）の工程と同じである。
　【００３９】
　以上の説明から明らかなように、本発明によれば、大きな穴の掘削、土砂の搬出廃棄、木枠、鉄筋等の配設、基礎梁コンクリート打設等の作業、あるいは硬化したコンクリート等の除去作業等を必要とせず、また、柱の接合部の位置調整も容易なので、建設工数及び建設費を大幅に節減でき、工期も短縮できる施工性に優れた柱の接合構造を得ることができる。
　【００４０】
　【発明の効果】
　本発明に係る柱と杭の接合構造によれば、次のような効果を得ることができる。
（１）上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された溝内に設置される少なくとも２本の梁を有する仕口部材と
を備え、前記梁の前記支柱の中心からの長さを前記杭の半径よりも長く設定すると共に、前記杭の上部と前記仕口部材との間に前記仕口部材の位置を調整する位置決め手段を設けた
　【００４１】
　（２）　また、
上部構造物の柱と、地中に立設されて内部にコンクリートが充填される杭と、前記柱が接合される接合部と前記杭内に挿入されてコンクリートで固定される脚部からなる支柱、及び該支柱に水平方向に取付けられて前記杭が設置される縦穴の上部に掘削された構内に設置される少なくとも２本の梁を有する仕口部材と、前記
　【００４２】
　【００４３】
（３）　上記（１）の柱と梁の接合構造において、隣接する仕口部材の梁の間に接合される鋼材製の基礎梁を備えたので、基礎梁溝に木枠や鉄筋を配設してコンクリートを打設する必要がなく、基礎梁の設置がきわめて容易である。
　また、隣接する接合部材の梁の間に溶接等により基礎梁を接合することにより、下部構造物及び上部構造部とも鋼材構造となるため、応力の流れが明解となり、さらに、基礎梁が先に降伏することで、構造物全体が梁崩壊形となって変形性能が向上するため、耐震性に優れた構造物を得ることができる。
【図面の簡単な説明】
　【図１】
　本発明の一実施形態の説明図である。
　【図２】
　図１のＡ−Ａ断面図である。
　【図３】
　図１の下部構造物の一例を模式的に示した縦断面図である。
　【図４】
　図３の平面図である。
　【図５】
　仕口部材の実施形態の斜視図、側面図及び平面図である。
　【図６】
　仕口部材の実施形態の斜視図、側面図及び平面図である。
　【図７】
　仕口部材の実施形態の斜視図及び平面図である。
　【図８】
　図７の分解斜視図である。
　【図９】
　仕口部材の他の実施形態の斜視図及び平面図である。
　【図１０】
　接合部材の他の実施形態の斜視図である。
　【図１１】
　接合部材の他の実施形態の斜視図である。
　【図１２】
　接合部材の他の実施形態の斜視図である。
　【図１３】
　接合部材の他の実施形態の斜視図である。
　【図１４】
　接合部材の他の実施形態の斜視図である。
　【図１５】
　杭の一例の断面説明図である。
　【図１６】
　仕口部材の脚部の一例の説明図である。
　【図１７】
　位置決め手段の一例の説明図である。
　【図１８】
　図１７の要部の作用説明図である。
　【図１９】
　位置決め手段の他の例の説明図である。
　【図２０】
　図１９の支持部材の斜視図である。
　【図２１】
　仕口部材の杭への設置状態を示す説明図である。
　【図２２】
　位置決め手段の他の例の説明図である。
　【図２３】
　図２２の支持部材及び固定板の斜視図である。
　【図２４】
　位置決め手段の他の例の説明図である。
　【図２５】
　図２４の支持部材及び固定板の斜視図である。
　【図２６】
　支持部材の杭への取付の他の例を示す斜視図である。
　【図２７】
　本発明の施工例を示す説明図である。
　【図２８】
　本発明の施工例を示す説明図である。
　【図２９】
　本発明の他の施工例を示す説明図である。
　【符号の説明】
　１　下部構造物
　２　上部構造物
　３　縦穴
　５　杭
　６，１８ａ，１８ｂ　突条
　７　基礎梁
　１０　仕口部材
　１１　支柱
　１２　柱の接合部
　１３　脚部
　１４ａ〜１４ｄ　梁
　１６，１６ａ，１６ｂ，１６ｃ，１６ｄ　ダイヤフラム
　２０　位置決め手段
　２１　支持部材
　２３　固定板
　３５，３６　コンクリート
　４０　柱